(57)【要約】【課題】傾斜板の勾配を多様に調節してスイング練習を行うことが可能なゴルフ練習装置を提供することを目的とする。【解決手段】上面にボールが載置される受け板を備えた傾斜調節板と、前記傾斜調節板の下面の辺部に隣接して設けられ、各脚が長さ別に順次隣接設置され、前記傾斜調節板の下面に回動可能に結合されて折り畳まれる一つ以上の脚部材と、前記傾斜調節板の上面に長手方向に凹設された案内レールと、前記案内レールに連通して内側に等間隔で凹設された収容溝部と、前記案内レールに沿って移動して前記収容溝部に挿着され、打撃によってゴルフボールが回転するようにする打撃回動部材とを含んでなる。【選択図】　　　　　図１
2004057807.tif 000002
【特許請求の範囲】
【請求項１】
上面にボールが載置される受け板（１０２）を備えた傾斜調節板（１００）と、前記傾斜調節板（１００）の下面の辺部に隣接して設けられ、各脚が長さ別に順次隣接設置され、前記傾斜調節板（１００）の下面に回動可能に結合されて折り畳まれる一つ以上の脚部材（１１０）と、前記傾斜調節板（１００）の上面に長手方向に凹設された案内レール（１２０）と、前記案内レール（１２０）に連通して内側に等間隔で凹設された収容溝部（１３０）と、前記案内レール（１２０）に沿って移動して前記収容溝部（１３０）に挿着され、打撃によってゴルフボールが回転するようにする回転打撃回動部材（１４０）とを含んでなるゴルフ練習装置。
【請求項２】
前記傾斜調節板（１００）は、下面の辺部に沿って下方に突出して延設され、前記脚部材（１１０）を立てる場合、脚部材（１１０）に接触し、前記脚部材（１１０）が外方に無限定に回動することを防止する基台（１０１）を含むことを特徴とする請求項１記載のゴルフ練習装置。
【請求項３】
前記打撃回動部材（１４０）は、前記案内レール（１２０）に沿って移動し、前記収容溝部（１３０）に収容される固定部（１４１）と、前記固定部（１４１）に結合され、上方に突設された円錐台状の支持部（１４２）と、一端が前記支持部（１４２）に回動可能に結合され、他端にゴルフボールが取り付けられ、外部の打撃によって前記支持部（１４２）を軸として回動する結合部（１４３）と、前記支持部（１４２）の上端に固着され、前記結合部（１４３）の上方への遊動幅を制限させる離脱防止部（１４４）とを含んでなることを特徴とする請求項１又は２記載のゴルフ練習装置。
【発明の詳細な説明】
【０００１】
【発明の属する技術分野】
本発明は、ゴルフ練習装置に関し、より詳細には、マットの傾斜及び高低の調節が可能であるうえ、打撃されたゴルフボールが打撃力によって回転するので継続的なスイング練習を行うことが可能であり、ボールを傾斜面に沿って移動させることにより様々な傾斜環境でスイング練習を行うことが可能なゴルフ練習装置に関する。
【０００２】
【従来の技術】
一般に、ゴルフの初心者は、フィールドに出る前にスイング及びパッティングの基本を身に付けなければならないので、ゴルフ練習場などでスイング及びパッティングを学んだ後、本格的にフィールドに出てゴルフをする。ゴルフ練習のためにはスイング練習が必須なので、通常、ゴルフボールを位置させた状態でゴルフボールに打撃を加える方法によりスイング練習を行う。
【０００３】
近年、スイング練習を補助するための様々なゴルフスイング練習装置が開発、紹介されている。
【０００４】
このような従来の技術としては、大韓民国実用新案公告第１９９１−１８０号、同第１９９５−４３３６号、同第１９９６−１０６０１号、大韓民国実用新案公開第９４−７２２４号、同第１９９９−２８９６１号、同第１９９６−１３４３２号及び大韓民国実用新案登録第２３０８５６号公報に開示されているゴルフ練習機が挙げられる。前記従来の技術では、スイングの練習ができるようにゴルフボールが支持部材に回動可能に取り付けられており、ゴルフクラブによる打球の際にゴルフボールが支持部材を回動軸として回動することにより、継続的な打球練習を行うことができる。
【０００５】
ところが、このような従来の技術は後述する問題点がある。
【０００６】
まず、底板が偏平状を有し、底部の傾斜が調節できないことにより、スイング練習を偏平な面上でのみ行うので、様々な傾斜面における練習は不可能であることである。
【０００７】
また、ゴルフボールを支持する支持部材が底板に固着されて特定の位置に位置決めされることにより、傾斜面上の様々な位置における練習が不可能であるという問題点もある。
【０００８】
【発明が解決しようとする課題】
従って、本発明は、かかる問題点を解決するためのもので、傾斜板の勾配を多様に調節してスイング練習を行うことが可能なゴルフ練習装置を提供することにある。
【０００９】
本発明の他の目的は、ゴルフボール付き打撃回動部材が傾斜面に沿って移動して固定されることにより、様々な傾斜環境でスイング練習を行うことが可能なゴルフ練習装置を提供することにある。
【００１０】
【課題を解決するための手段】
上記目的を達成するために、本発明は、上面にボールが載置される受け板を備えた傾斜調節板と、前記傾斜調節板の下面の辺部に隣接して設けられ、各脚が長さ別に順次隣接設置され、前記傾斜調節板の下面に回動可能に結合されて折り畳まれる一つ以上の脚部材と、前記傾斜調節板の上面に長手方向に凹設された案内レールと、前記案内レールに連通して内側に等間隔で凹設された収容溝部と、前記案内レールに沿って移動して前記収容溝部に挿着され、打撃によってゴルフボールが回転するようにする打撃回動部材とを含んでなるゴルフ練習装置を提供する。
【００１１】
ここで、前記傾斜調節板は、下面の辺部に沿って下方に突出して延設され、前記脚部材を立てた場合、脚部材に接触し、脚部材が外方に無限定に回動することを防止する基台を含むことが好ましい。
【００１２】
前記打撃可動部材は、前記案内レールに沿って移動し、前記収容溝部に収容される固定部と、前記固定部に結合され、上方に突設された円錐台状の支持部と、一端が前記支持部に回動可能に結合され、他端にゴルフボールが取り付けられ、外部の打撃によって前記支持部を軸として回動する結合部と、前記支持部の上端に固着され、前記結合部の上方への遊動幅を制限させる離脱防止部とを含んでなることが好ましい。
【００１３】
これにより、傾斜板の勾配を様々に調節してスイング練習を行うことができ、ゴルフボール付き打撃回動部材が傾斜面に沿って移動して固定されることにより、様々な傾斜環境でスイング練習を行うことができるという利点を有する。
【００１４】
【発明の実施の形態】
以下、添付図面に基づいて本発明の好適な実施例を詳細に説明する。
【００１５】
［実施例１］
図１は本発明に係るゴルフ練習装置の斜視図、図２は図１の分解斜視図、図３は第１実施例に係る傾斜調節板の下面を示す斜視図である。同図に示すように、本発明に係るゴルフ練習装置は、傾斜調節板１００、脚部材１１０、案内レール１２０、収容溝部１３０及び打撃回動部材１４０から構成される。
【００１６】
まず、傾斜調節板１００について説明する。前記傾斜調節板１００は、スチール材質の略長方形板状からなり、前記傾斜調節板１００の下面の辺部に沿って下方に突出して延長された形状の基台１０１が設けられる。
【００１７】
前記基台１０１は、略長方形棒状からなり、前記傾斜調節板１００の四辺部に沿って設けられるが、後述の脚部材１１０を立てる場合に脚部材１１０が外方に無限定に回動することを防止するように脚部材１１０を支持する。
【００１８】
前記傾斜調節板１００の上面には、ボールが載せられる受け板１０２を取り付ける。前記受け板１０２は芝生のような質感が感じられるように合成樹脂材料で形成する。前記受け板１０２は多数の所定形状の凹部１０２ａを備え、この凹部１０２ａにはボールが載せられる。これにより、傾斜調節板１００が傾いてもボールが遊動しないようにする。
【００１９】
前記脚部材１１０は略「コ」字状を有し、前記傾斜調節板１００の下面に基台１０１に隣接して４組が設けられる。
【００２０】
前記脚部材１１０それぞれは、前記傾斜調節板１００の下面に蝶番によって回動可能に取り付けられ、立てたり折り畳んだりすることができる。
【００２１】
前記脚部材１１０はそれぞれ長さの異なるものが互いに隣接して設けられる。よって、前記脚部材１１０を立てる場合、この脚部材１１０によって前記傾斜調節板１００の勾配が調整される。
【００２２】
前記脚部材１１０では、最短の第１脚１１１が最外側に前記傾斜調節板１００の下面に蝶番によって回動可能に取り付けられ、前記第１脚１１１と隣接してその内側に前記第１脚１１１の長さより相対的に長い第２脚１１２が前記傾斜調節板１００の下面に蝶番によって回動可能に取り付けられ、その内側には前記第２脚１１２より相対的に長い第３脚１１３が前記第２脚１１２に隣接して回動可能に取り付けられ、またその内側には前記第３脚１１３より相対的に長い第４脚１１４が前記第３脚１１３に隣接して回動可能に取り付けられる。ここで、前記脚部材１１０の脚の数を４つにしているが、微細な傾斜調節のためには脚の数を増やしてもよく、これも本発明の範疇に属する。そして、脚部材１１０には磁石を設置するが、この磁石は、前記脚部材１１０を折り畳んだ場合、前記傾斜調節板１００の下面に磁力によって密着するように働く。
【００２３】
ここで、前記脚部材１１０を立てる場合、前記第１脚１１１が最も先に立てられ、前記第１脚１１１の外側表面は前記基台１０１に接触することにより、前記脚部材１１０が外方に無限定に回動することが防止される。
【００２４】
従って、前記脚部材１１０を回動可能に折畳むことにより、前記傾斜調節板１００が底面に置かれる場合、傾斜調節板１００の勾配が調節される。
【００２５】
前記案内レール１２０は、前記傾斜調節板１００の上面に長手方向に凹設される。これにより、後述する打撃回動部材１４０の固定部１４１が前記案内レール１２０に沿って移動できる。
【００２６】
さらに、前記案内レール１２０に連通して傾斜調節板１００の内側に多数の収容溝部１３０が等間隔で凹設され、この収容溝部１３０に後述の打撃回動部材１４０の固定部１４１が挿着される。
【００２７】
すなわち、打撃回動部材１４０を移動させる場合、案内レール１２０に沿って移動させて打撃回動部材１４０の固定部１４１を前記収容溝部１３０に挿着すると、打撃回動部材１４０が所定の位置に位置決めされる。
【００２８】
前記打撃回動部材１４０は固定部１４１、支持部１４２、結合部１４３及び離脱防止部１４４から構成される。
【００２９】
前記固定部１４１は略円板状を有し、前記案内レール１２０に沿って移動し、前記収容溝部１３０に挿入されて収容される部分であって、前記打撃回動部材１４０全体の位置を決定する部分である。
【００３０】
前記支持部１４２は略円錐台状を有し、固定部１４１の上方に突出した形で前記固定部１４１と一体に設けられる。
【００３１】
前記結合部１４３は、所定長さの棒状を有し、一側には締結孔が設けられ、前記支持部１４２が前記締結孔の内部に挿入される形で前記支持部１４２と回動可能に結合するとともに、他側にはボールが取り付けられ、前記受け板１０２側に延設されてボールが前記受け板１０２の凹部１０２ａに載置される。
【００３２】
前記離脱防止部１４４は、円板状を有し、前記支持部１４２の上端に設けられ、打球によって前記結合部１４３が回転する場合、前記結合部１４３が遠心力によって支持部１４２の上方に無断離脱することを防止する。
【００３３】
ここで、前記支持部１４２は、円錐台状を有し、結合部１４３が支持部１４２を軸として回動する場合、結合部１４３が遠心力によって上方に所定の距離だけ移動して回転するようにする。
【００３４】
［実施例２］
図４は実施例２に係る傾斜調節板の下面を示す斜視図である。本発明の実施例２は、前記実施例１とは脚部材１１０の結合形状が異なるだけで、他の構成要素は前記実施例１と同様である。
【００３５】
前記脚部材１１０は、略「コ」字状を有し、４組が前記傾斜調節板１００の下面に基台１０１に隣接して、同一軸を有する蝶番によって回動可能に取り付けられる。
【００３６】
すなわち、脚部材１１０は各脚が互いに上下に重なる形状であって、各脚は同一軸を有する蝶番によって回動可能に結合される。
【００３７】
脚部材１１０では、最短の第１脚１１１が最内側に設けられ、前記第１脚１１１の外表面を覆う形でその外側に第１脚１１１より相対的に長い第２脚１１２が設けられ、前記第２脚１１２の外表面を覆う形でその外側に第２脚１１２より相対的に長い第３脚１１３が設けられ、前記第３脚１１３の外表面を覆う形でその外側に第３脚部材１１３より相対的に長い第４脚１１４が設けられるので、前記それぞれの脚は同一軸を有する蝶番によって回動可能に結合される。
【００３８】
従って、前記脚部材１１０を回動させて選択的に立てることにより、前記傾斜調節板１００が地面に置かれる場合、傾斜調節板１００の勾配が調節される。
【００３９】
本発明の実施例２は、脚部材１１０を同軸を中心として折畳まれるように互いに重ねて構成することを除いては、前記実施例１と同様である。
【００４０】
次に、このような構成による作動効果を説明する。練習者がゴルフスイング練習を行う場合、前記脚部材１１０のいずれか一脚部材を立てて傾斜調節板１００を地面に接地させることにより、傾斜調節板１００の勾配を調節する。
【００４１】
その後、前記打撃回動部材１４０を前記案内レール１２０に沿って移動させて所定の位置に固定する。
【００４２】
このような状態で前記打撃回動部材１４０の結合部１４３の他側に設けられたボールが前記受け板１０２の凹部１０２ａに位置するように結合部１４３を調整する。
【００４３】
この状態で練習者が打球すると、打球によって結合部１４３が支持部１４２を軸として回転し、これに伴ってボールも飛ばずに回転する。
【００４４】
従って、結合部１４３の回転が止まると、再び打球する方法でスイング練習を繰り返し行うことができる。
【００４５】
この際、練習者が打球位置を変えたい場合には、前記打撃回動部材１４０を前記案内レール１２０に沿って再び移動させて収容溝部１３０に固定した後、打球動作を行えば済む。
【００４６】
一方、前記傾斜調節板の勾配を調節したい場合には、前記傾斜調節板１００の下面に設けられた脚部材１１０の折り畳みを調節して傾斜調節板１００の勾配を再び調整した後、このような打撃練習を繰り返し行えば済む。
【００４７】
【発明の効果】
上述したように、本発明は、傾斜板の勾配を様々に調節してスイング練習を行うことができるという効果がある。
【００４８】
その上、ゴルフボール付き打撃回動部材を傾斜面に沿って移動させて固定した後打撃を行うことにより、様々な傾斜環境でスイング練習を行うことができるという効果もある。
【図面の簡単な説明】
【図１】本発明に係るゴルフ練習装置の斜視図である。
【図２】図１の分解斜視図である。
【図３】本発明の実施例１に係る傾斜調節板の下面を示す斜視図である。
【図４】本発明の実施例２に係る傾斜調節板の下面を示す斜視図である。
【符号の説明】
１００　傾斜調節板
１０１　基台
１０２　受け板
１０２ａ　凹部
１１０　脚部材
１１１　第１脚
１１２　第２脚
１１３　第３脚
１１４　第４脚
１２０　案内レール
１３０　収容溝部
１４０　打撃回動部材
１４１　固定部
１４２　支持部
１４３　結合部
１４４　離脱防止部
【図１】
2004057807.tif 000003
【図２】
2004057807.tif 000004
【図３】
2004057807.tif 000005
【図４】
2004057807.tif 000006